(57)【要約】【課題】僅かな力で開封し、天面が開口した状態にできる箱を提供する。【解決手段】周壁１の各面を形成する側面板１１，１２の上端に、天壁２を形成するフラップ１４，１５が連設され、側面板１１とフラップ１４の境界に、その中間に介在する手掛部１８から両側端へかけて破断線２１が入れられ、これに連続して両側の側面板１２の方向へ破断線２２が延長された天面開封箱において、フラップ１４，１５には、手掛部１８の両端から両側の側面板１２の方向へ破断線２１に対して斜めに延びる山折補助罫線２３を入れる。開封する際、手掛部１８に手を掛けて天壁２を引き上げつつ、手掛部１８の反対方向へ引っ張ると、山折補助罫線２３に沿って手掛部１８側が持ち上げられるように天壁２が撓み、破断線２１，２２が連続して破断する。【選択図】図３
0003200716.tif 000002
【実用新案登録請求の範囲】
【請求項１】
周壁(1)の各面を形成する側面板(11,12)の上端に、天壁(2)を形成するフラップ(14,15)が連設され、側面板(11)とフラップ(14)の境界に、その中間に介在する手掛部(18)から両側端へかけて破断線(21)が入れられ、これに連続して両側の側面板(12)の方向へ破断線(22)が延長され、
開封に際しては、手掛部(18)に手を掛けて天壁(2)を引き上げつつ、手掛部(18)の反対方向へ引っ張り、これに伴い、破断線(21,22)を破断させて天面を開口させる天面開封箱において、
前記天壁(1)を形成するフラップ(14,15)には、手掛部(18)の両端から両側の側面板(12)の方向へ破断線(21)に対して斜めに延びる山折補助罫線(23)が入れられていることを特徴とする天面開封箱。
【請求項２】
前記天壁(2)を形成するフラップ(14,15)には、山折補助罫線(23)の手掛部(18)から離れた端部を結ぶ谷折補助罫線(24)が入れられていることを特徴とする請求項１に記載の天面開封箱。
【請求項３】
前記天壁(2)の全周に亘って、側面板(11,12)とフラップ(14,15)の境界に破断線(21,22)が入れられ、対向する側面板(11)とフラップ(14)の境界の破断線(21)に手掛部(18)が介在していることを特徴とする請求項１又は２に記載の天面開封箱。
【考案の詳細な説明】
【技術分野】
【０００１】
この考案は、破断線を破断させて開封し、これに伴い、天面を開口させるようにした包装用箱に関するものである。
【背景技術】
【０００２】
例えば、下記特許文献１には、図７に示すように、周壁５１の各面を形成する側面板５２，５３の上端に、天壁５４を形成するフラップ５５が連設された箱において、後方の側面板５２とフラップ５５の境界に破断線５６が入れられ、この破断線５６の中間部に開口する手掛部５７が介在し、手掛部５７が臨む側面板５２から両側の側面板５３の方向へ破断線５８が延長され、前方の側面板５２に破断線５８の前端を結ぶ破断線５９が入れられたものが記載されている。
【０００３】
この箱の開封に際しては、手掛部５７に手を入れて、天壁５４を引き上げつつ手前に引っ張り、これに伴い、破断線５６，５８，５９を破断させ、その上方部分を除去する。
【０００４】
このような箱では、天壁５４を形成するフラップ５５を、互いの接着やテープを剥がす作業により個別に開くことなく、一体的に除去して、収納した物品を取り出すことができるので、配送先での開梱作業が省力化される。
【先行技術文献】
【特許文献】
【０００５】
【特許文献１】特開２００２−２６８２号公報
【考案の概要】
【考案が解決しようとする課題】
【０００６】
しかしながら、上記のような箱では、開封時に手掛部５７から破断線５６を破断させる際、天壁５４を引き上げて手前に引っ張っても、引張力が作用する方向と破断線５６の向きとが交差する方向となるため、破断線５６の破断に大きな力を要し、開封しにくいという問題があった。
【０００７】
そこで、この考案は、僅かな力で天面が開口した状態に開封できる箱を提供することを課題とする。
【課題を解決するための手段】
【０００８】
上記課題を解決するため、この考案は、周壁の各面を形成する側面板の上端に、天壁を形成するフラップが連設され、側面板とフラップの境界に、その中間に介在する手掛部から両側端へかけて破断線が入れられ、これに連続して両側の側面板の方向へ破断線が延長され、開封に際しては、手掛部に手を掛けて天壁を引き上げつつ、手掛部の反対方向へ引っ張り、これに伴い、破断線を破断させて天面を開口させる天面開封箱において、前記天壁を形成するフラップには、手掛部の両端から両側の側面板の方向へ破断線に対して斜めに延びる山折補助罫線を入れたのである。
【０００９】
また、前記天壁を形成するフラップには、山折補助罫線の手掛部から離れた端部を結ぶ谷折補助罫線を入れたのである。
【００１０】
また、前記天壁の全周に亘って、側面板とフラップの境界に破断線が入れられ、対向する側面板とフラップの境界の破断線に手掛部が介在するものとしたのである。
【考案の効果】
【００１１】
この考案に係る箱では、開封する際、手掛部に手を掛けて天壁を引き上げつつ、手掛部の反対方向へ引っ張ると、フラップに入れられた山折補助罫線に沿って手掛部側が持ち上げられるように天壁が撓み、これに伴い、手掛部が臨む側面板とフラップの境界に入れられた破断線が手掛部から両端側へ破断し、これに連続して、両側の側面板の破断線も破断するので、僅かな力で開封し、天面が開口した状態にすることができる。
【００１２】
また、天壁を形成するフラップに、山折補助罫線の手掛部から離れた端部を結ぶ谷折補助罫線を入れると、天壁がさらに撓みやすくなり、開封が容易になる。
【００１３】
また、破断線が天壁の全周に亘り、対向する側面板とフラップの境界の破断線に手掛部が介在するものでは、収容した物品が重い場合、対称位置にある手掛部に手を掛けて持ち上げるように最初に力を入れるだけで、物品の自重で破断線の破断が進行するので、ワンアクションで開封することができる。
【図面の簡単な説明】
【００１４】
【図１】この考案に係る箱の第１実施形態のブランクを示す図
【図２】同上の箱の封緘状態を示す斜視図
【図３】同上の開封過程を示す斜視図
【図４】同上の開封状態を示す斜視図
【図５】この考案に係る箱の第２実施形態のブランクを示す図
【図６】同上の箱の開封過程を示す斜視図
【図７】特許文献１記載の箱の開封過程を示す斜視図
【考案を実施するための形態】
【００１５】
まず、この考案の第１実施形態を図１〜図４に基づいて説明する。
【００１６】
この箱は、図１に示す段ボールのブランクから組み立てられるものである。このブランクでは、周壁１を形成する各一対の側面板１１，１２が交互に連設され、一方の側面板１２の側端に継代片１３が連設されている。各一対の側面板１１，１２の上端には、天壁２を形成するフラップ１４，１５がそれぞれ連設され、各一対の側面板１１，１２の下端には、底壁３を形成するフラップ１６，１７がそれぞれ連設されている。
【００１７】
一対の側面板１１には、その上方のフラップ１４との境界中間部に臨んで、切目線と折目線とに区画された手掛部１８が設けられている。手掛部１８の下端中間部に臨む部分には、先端部が丸い舌片状の押込部１９が切目線を入れて設けられている。
【００１８】
一対の側面板１１とその上方のフラップ１４の境界には、手掛部１８から両側端へかけて破断線２１が入れられている。破断線２１は、フラップ１４の折目線となる押罫線に加えて、鉤状の切目を断続的に穿設したジッパー型とされている。
【００１９】
また、一対の側面板１２とその上方のフラップ１５の境界には、破断線２２が入れられている。破断線２２は、フラップ１５の折目線となる押罫線に加えて、両端が曲がった切目と直線の切目とを交互に穿設したジッパー型とされている。
【００２０】
そして、側面板１１の上方に連なる一対のフラップ１４には、手掛部１８の両端から両側縁へ破断線２１に対して斜めに延びる山折補助罫線２３が入れられている。また、側面板１２の上方に連なる一対のフラップ１５には、破断線２２の中間寄りから両側縁へそれぞれ斜めに延びる山折補助罫線２３が入れられている。
【００２１】
山折補助罫線２３は、押罫線と切目とが断続するリード罫とされ、表面側が突き出すように折れ曲がるものとなっている。
【００２２】
このようなブランクは、製造に際し、周壁１の対角に位置する側面板１１，１２の境界の罫線に沿って折り重ね、継代片１３を反対側の側面板１１の側端部に貼り付けることにより、偏平な折畳状態としておく。
【００２３】
そして、物品の包装に際しては、図２に示すように、各一対の側面板１１，１２から四角筒状の周壁１を形成し、下方のフラップ１６，１７を折り重ねてテープＴや接着で固定することにより底壁３を形成し、物品を開放状態の天面から収納した後、上方のフラップ１４，１５を折り重ねてテープＴや接着で固定することにより天壁２を形成する。
【００２４】
この封緘状態において、天壁２を形成するフラップ１４，１５の山折補助罫線２３は重なり、これらの山折補助罫線２３は、側面板１１の手掛部１８の両端から両側の側面板１２の方向へ破断線２１に対して斜めに延びるものとなる。
【００２５】
このように封緘した箱を開封する際には、図３に示すように、一対の側面板１１の押込部１９を押し込み、その抜出穴に指を入れて手掛部１８を押し込み、手掛部１８に手を掛けて天壁２を引き上げつつ、手掛部１８の反対方向である箱天面の中央側へ引っ張り、これに伴い、破断線２１，２２を破断させ、天壁２を手掛部１８と共に除去して、図４に示すように、天面を開口させる。
【００２６】
この開封に際しては、図３に示すように、フラップ１４，１５の山折補助罫線２３に沿って手掛部１８側が持ち上げられるように天壁２が撓み、これに伴い、側面板１１とフラップ１４の境界の破断線２１が手掛部１８から両端側へ破断し、これに連続して、両側の側面板１２とフラップ１５の境界の破断線２２も破断するので、僅かな力で開封し、天面が開口した状態にすることができる。
【００２７】
また、天壁２の全周に亘って、側面板１１，１２とフラップ１４，１５の境界に破断線２１，２２が入れられ、一対の側面板１１とフラップ１４の境界の破断線２１に手掛部１８が介在しているので、収容した物品が重い場合、対称位置にある手掛部１８に手を掛けて持ち上げるように最初に力を入れるだけで、物品の自重で破断線２１，２２の破断が進行するので、ワンアクションで開封することができる。
【００２８】
次に、この考案の第２実施形態を図５及び図６に基づいて説明する。なお、この実施形態は、上記第１実施形態と基本構成が共通するので、ここでは、上記第１実施形態との相違点について言及するに留める。
【００２９】
この箱のブランクでは、図５に示すように、天壁２を形成する各一対のフラップ１４，１５において、一対のフラップ１４には、手掛部１８の両端から斜め方向へ延びる山折補助罫線２３が両側縁に達する点を結ぶように、谷折補助罫線２４が入れられ、一対のフラップ１５には、破断線２２と各２本の山折補助罫線２３の交点付近から破断線２２に対し垂直に先端縁へ至る谷折補助罫線２４が入れられている。
【００３０】
谷折補助罫線２４は、押罫線と切目とが断続するリード罫とされ、その切目が山折補助罫線２３の切目よりも長く、表面側が窪むように折れ曲がるものとなっている。
【００３１】
このようなブランクを組み立てると、フラップ１４，１５の谷折補助罫線２４が重なって、谷折補助罫線２４は、山折補助罫線２３の手掛部１８から離れた端部を結ぶものとなり、図６に示すように、開封する際、天壁２が谷折補助罫線２４に沿って折れ曲がり、さらに撓みやすくなるので、開封が容易になる。
【００３２】
また、上記各実施形態における山折補助罫線２３及び谷折補助罫線２４は、段ボールの抵抗を弱めるものであるが、封緘状態で箱の天面に位置しているので、積上荷重に対する圧縮強度が低下することはない。
【００３３】
なお、上記各実施形態では、手掛部１８が短側面をなす側面板１１に設けられたものを例示したが、手掛部１８は、長側面をなす側面板１２に設けるようにしてもよい。
【００３４】
また、手掛部１８が側面と天面の稜部の側面側に設けられたものを例示したが、手掛部１８は、天面側に設けるようにしてもよい。
【００３５】
さらに、手掛部１８が一対の側面にそれぞれ設けられたものを例示したが、手掛部１８は、一方の側面だけに設けるようにしてもよく、開封時に天壁２を除去して天面全体を開口させるものを例示したが、開封時に天壁２を一部だけ切り取り、又は手掛部１８の反対側で繋がった状態で開くようにしてもよい。そのほか、破断線２２が側面板１２を横切るようにして、天面から側面にかけて破り取るようにしてもよい。
【００３６】
また、天壁２及び底壁３がそれぞれフラップ１４，１５及び１６，１７の重ね合わせにより形成されるいわゆるＡ式の箱について例示したが、一方の側面板から延びる蓋フラップの先端部を他方の側面板の内側に沿って差し込むいわゆるＢ式の箱や、１枚の底壁の周囲各辺に側面板及びフラップが順次連設されたいわゆる奴式の箱においても、同様の構成を適用できる。
【符号の説明】
【００３７】
１  周壁
２  天壁
３  底壁
１１，１２  側面板
１３  継代片
１４，１５  フラップ（天面側）
１６，１７  フラップ（底面側）
１８  手掛部
１９  押込部
２１，２２  破断線
２３  山折補助罫線
２４  谷折補助罫線
Ｔ  テープ
【図１】
0003200716.tif 000003
【図２】
0003200716.tif 000004
【図３】
0003200716.tif 000005
【図４】
0003200716.tif 000006
【図５】
0003200716.tif 000007
【図６】
0003200716.tif 000008
【図７】
0003200716.tif 000009